(57)【要約】【課題】本願発明の課題は、従来技術が抱える問題を解決することであり、すなわち、既設のケーブル式アンカーを再緊張することができ、特にケーブルがアンカー孔内に引き込まれた既設アンカーを再緊張することができる技術を提供することである。【解決手段】本願発明のアンカーの再緊張方法は、既設定着具撤去工程と、ケーブル固定工程、定着カプラー設置工程、再緊張工程を備えた方法である。ケーブル固定工程では、孔内アンカーヘッドの挿通孔に既設のケーブルを挿通しながら孔内アンカーヘッドをアンカー孔内に設置し、ケーブルが挿通された挿通孔内にクサビを嵌入することでケーブルを固定する。また定着カプラー設置工程ではアンカー孔内に設置された孔内アンカーヘッドの外周に螺合することによって定着カプラーを孔内アンカーヘッドに取り付け、再緊張工程ではジャッキによって定着カプラーを引き上げることでケーブルを再緊張する。【選択図】図５
2018119356.tif 000002
【特許請求の範囲】
【請求項１】
既設アンカーを、孔内アンカーヘッドを用いて再緊張する方法において、
既設アンカーの緊張力を解除する緊張力解除工程と、
前記孔内アンカーヘッドが具備する挿通孔に既設のケーブルを挿通したうえで前記孔内アンカーヘッドをアンカー孔内に設置するとともに、前記ケーブルが挿通された前記挿通孔内にクサビを嵌入することで前記ケーブルを前記孔内アンカーヘッドに固定するケーブル固定工程と、
アンカー孔内に設置された前記孔内アンカーヘッドの外周に螺合することによって、定着カプラーを前記孔内アンカーヘッドに取り付ける定着カプラー設置工程と、
アンカー孔外に設置したジャッキによって前記定着カプラーを引き上げることで、前記ケーブルを緊張する再緊張工程と、
を備えたことを特徴とするアンカーの再緊張方法。
【請求項２】
前記孔内アンカーヘッドは、クサビ挿通孔と、該クサビ挿通孔よりも小径の普通挿通孔の、２種類の前記挿通孔を具備し、
前記ケーブル固定工程は、複数の前記ケーブルを先行グループと後続グループに分けてそれぞれ異なる前記孔内アンカーヘッドに固定するものであって、該先行グループの前記ケーブルを先行用孔内アンカーヘッドに固定する先行ケーブル固定工程と、該後続グループの前記ケーブルを後続用孔内アンカーヘッドに固定する後続ケーブル固定工程と、を有し、
前記先行ケーブル固定工程では、前記先行グループの前記ケーブルを前記先行用孔内アンカーヘッドの前記クサビ挿通孔に挿通するとともに、前記後続グループの前記ケーブルを前記先行用孔内アンカーヘッドの前記普通挿通孔に挿通したうえで、前記先行用孔内アンカーヘッドをアンカー孔内に設置し、かつ前記先行グループの前記ケーブルが挿通された前記クサビ挿通孔内にクサビを嵌入することで、前記先行グループの前記ケーブルを前記先行用孔内アンカーヘッドに固定し、
前記後続ケーブル固定工程では、前記後続グループの前記ケーブルを前記後続用孔内アンカーヘッドの前記クサビ挿通孔に挿通するとともに、前記先行グループの前記ケーブルを前記後続用孔内アンカーヘッドの前記普通挿通孔に挿通したうえで、前記後続用孔内アンカーヘッドを前記先行用孔内アンカーヘッドに重ねてアンカー孔内に設置し、かつ前記後続グループの前記ケーブルが挿通された前記クサビ挿通孔内にクサビを嵌入することで、前記後続グループの前記ケーブルを前記後続用孔内アンカーヘッドに固定し、
前記定着カプラー設置工程では、前記先行用孔内アンカーヘッドに前記定着カプラーを取り付ける、
ことを特徴とする請求項１記載のアンカーの再緊張方法。
【請求項３】
前記後続ケーブル固定工程では、前記後続グループの前記ケーブルがさらに２以上のグループに分けられるとともに、それぞれ異なる前記孔内アンカーヘッドに段階的に固定され、
前記後続ケーブル固定工程の各段階では、前記孔内アンカーヘッドにまだ固定されていない前記ケーブルを前記クサビ挿通孔に挿通するとともに、前記孔内アンカーヘッドに既に固定された前記ケーブルを前記普通挿通孔に挿通したうえで、前記後続用孔内アンカーヘッドをアンカー孔内に設置し、かつ前記ケーブルが挿通された前記クサビ挿通孔内にクサビを嵌入することで、前記ケーブルを前記後続用孔内アンカーヘッドに固定する、
ことを特徴とする請求項２記載のアンカーの再緊張方法。
【請求項４】
前記再緊張工程後に、前記定着カプラーのうちアンカー孔外に突出した部分の外周に定着リングを螺合して、前記ケーブルを再度定着する再定着工程を、
さらに備えたことを特徴とする請求項１乃至請求項３のいずれかに記載のアンカーの再緊張方法。
【請求項５】
再緊張された複数のケーブルを有するアンカーの頭部構造において、
アンカー孔内に設置された第１孔内アンカーヘッドと、
アンカー孔内で前記第１孔内アンカーヘッドに重ねて設置された第２孔内アンカーヘッドと、
前記第１孔内アンカーヘッドの外周に螺合するとともに、一部がアンカー孔外に突出した定着カプラーと、
前記定着カプラーのうちアンカー孔外に突出した部分の外周に螺合した定着リングと、を備え、
前記第１孔内アンカーヘッドは、クサビ挿通孔と、該クサビ挿通孔よりも小径の普通挿通孔と、を具備するとともに、該クサビ挿通孔には複数の前記ケーブルのうちの一部である第１ケーブルが挿通されてクサビが嵌入され、該普通挿通孔には複数の前記ケーブルのうち第１ケーブルを除く第２ケーブルが挿通され、
前記第２孔内アンカーヘッドは、前記クサビ挿通孔と前記普通挿通孔を具備するとともに、前記クサビ挿通孔には前記第２ケーブルの全て又は一部が挿通されてクサビが嵌入され、前記第１ケーブルは前記普通挿通孔に挿通された、
ことを特徴とするアンカー頭部構造。
【請求項６】
再緊張を行うために複数のケーブルを固定する孔内アンカーヘッドにおいて、
アンカー孔の内径よりも小さい外形を有し、前記ケーブルを挿通するとともにクサビを嵌入し得る内径を有するクサビ挿通孔と、該クサビ挿通孔よりも小径であって前記ケーブルを挿通し得る内径を有する普通挿通孔と、を具備する、
ことを特徴とする孔内アンカーヘッド。
【発明の詳細な説明】
【技術分野】
【０００１】
本願発明は、既設アンカーの再緊張に関する技術であり、より具体的には、除荷後にアンカー孔内に引き込まれたケーブルに対しても再緊張を行うことができる技術に関するものである。
【背景技術】
【０００２】
アンカーは、テンドン（引張り材）と呼ばれる部材に緊張力を与え、これを構造物等に設置することによって目的の力を付与する構造であり、橋梁のコンクリート床板にプレストレスを導入する際に使用されたり、吊り橋ケーブルの反力として使用されたり、構造物の浮き上がり防止（地盤下からの引張）として使用されるなど、多岐にわたって利用されるシステムである。
【０００３】
特に、のり面・斜面の対策工や、地すべり対策工、あるいは山留擁壁の補強工としては、今やアンカーシステムは欠かせないものとなった。のり面対策工や地すべり対策工等として使用されるアンカーは、テンドンの一方の固定端を地盤内に設置することから、古くは「アースアンカー」、現在では「グラウンドアンカー」と呼ばれている。このグラウンドアンカーは、ダムの安定対策として１９５７年に初めて我が国に導入されて以来、６０年近くにわたって採用されている。経済的であり施工性にも優れていることから、さらに高度成長に伴う社会資本整備の加速化もあって、２万４千件ともいわれる夥しい数の施工実績を数えるほど多用されてきた。
【０００４】
現在のグラウンドアンカーは、優れた施工性を有し、しかも極めて高い性能を発揮するものであるが、これは導入以降になされた研究開発の結果であることが知られている。例えば、導入当初は防食に対して強く意識されていなかったが、その後、耐久性の問題から二重防食が義務づけられるようになった経緯もある（現在では、防食技術が進歩したこともあって必ずしも二重防食とはされていない。）。いずれにしろグラウンドアンカーの技術は年々向上しており、言い換えれば設置から長い期間経過したグラウンドアンカーほど発展途上のものであって、浸食や劣化等が相当に進んでいることが推測される。実際、近年になってテンドンの破断や、頭部の落下、浮き上がりといった変状も報告されている。
【０００５】
グラウンドアンカーは１本あたり数百ｋＮという緊張力を与えるものであり、例えばテンドンが破断すると補強対象物（のり面や山留擁壁など）の安定を損なうだけでなく、第三者に被害を及ぼすおそれさえある。現在では、既に設置されたグラウンドアンカーのうちおよそ１／４が１０年以上経過しているともいわれており、今後ますますグラウンドアンカーの変状が進行することが予想され、事故等が生じる危険性も高まりつつある。
【０００６】
一方、橋梁やトンネルといった社会資本も長期間経過したものが多くなり、我が国の社会資本全体が更新の時期を迎えようとしている。とはいえ数多くの社会資本を同時期に更新し、あるいは大規模な補強を行うことは、費用の面でも労力の点でも難しい。そこで近年では、社会資本の健全性を適切に判断したうえで早い段階から軽微な補修等を行うなど、社会資本の延命化を図ることが求められている。グラウンドアンカーもその例外ではなく、延命化を図るべく適切な維持管理が行われているところである。
【０００７】
グラウンドアンカーの維持管理の一環として、初期点検、日常点検、定期点検、異常時点検といった点検が行われる。そして点検の結果、健全性に問題があると認められたグラウンドアンカーに対しては「アンカーの健全性調査」が実施される。このアンカーの健全性調査には、頭部詳細調査や、防錆油の試験、超音波探傷試験、リフトオフ試験、頭部背面調査などの種類があり、その目的に応じて適宜必要な種類の調査が選択される。例えばリフトオフ試験は、現状の残存引張り力を確認すべき場合に選択される。グラウンドアンカーの残存引張り力は、地盤のクリープによって、あるいは構造物の沈下や劣化によって、設置当初よりも増減することがあり、対策等の要否を判定するため現状の残存引張り力を確認するわけである。
【０００８】
リフトオフ試験の結果、グラウンドアンカーの残存引張り力が減少しているケースでは、斜面や構造物等の安定が維持できなくなっていることも考えられ、この場合、そのグラウンドアンカーを再緊張することで引張り力を増大させるか、あるいはグラウンドアンカーを増し打ちするなどの補強対策が施される。一方、グラウンドアンカーの残存引張り力が増加しているケースでは、テンドンの破断や、応力集中による受圧構造物の破壊といったおそれがあり、この場合、そのグラウンドアンカーの緊張力を緩和する対策が施される。
【０００９】
グラウンドアンカーの引張り力を増大させる場合はもちろん、緊張力を緩和する場合も、一旦は既存のテンドンを再緊張しなければならない。また、リフトオフ試験を行う場合も再緊張する必要があり、頭部背面調査を行う場合も緊張力を解除する必要があるためやはり再緊張しなければならない。このように、グラウンドアンカーの維持管理を行うにあたっては、様々な場面でアンカーの再緊張が行われる。
【００１０】
ところでグラウンドアンカーは、テンドンの定着方式に着目すると、クサビ定着式アンカー、ナット定着式アンカー、クサビナット定着式アンカーに分類される。このうち、ナット定着式アンカーやクサビナット定着式アンカーは、鋼棒（テンドン）や定着具の外周にネジが設けられているため、再緊張することが比較的容易であるとされている。このネジを利用すれば、油圧ジャッキで引き上げるためのテンションロッドを簡単に連結することができるわけである。一方、クサビ定着式アンカーの場合、通常はテンドンとして鋼線や鋼より線（以下、「ケーブル」という。）が用いられており、再緊張が難しいとされている。クサビ定着式アンカーの定着具にはネジが設けられていないことが多く、再緊張するためには既設の定着具を取り外し、再緊張に適した（例えば外周にネジが設けられた）定着具を新たに設置しなければならないことがその理由として挙げられる。
【００１１】
クサビ定着式アンカーの定着具を取り外すためにはクサビを取り外す必要があり、このクサビを取り外すためにはケーブルを直接つかんで引き上げる必要がある。これまでも、ケーブルをつかむ特殊な治具を用いるなど、ケーブルを引き上げるための技術に関しては種々提案されている。例えば特許文献１では、除荷用クサビとカプラーで既設ケーブルを把持したうえでジャッキにより緊張するという手法を提案している。
【先行技術文献】
【特許文献】
【００１２】
【特許文献１】特開２００３−２６８７６６号公報
【発明の概要】
【発明が解決しようとする課題】
【００１３】
特許文献１に示す技術は、既設ケーブルを直接引き上げることによって定着クサビ（既設）を取り外すことができるうえ、除荷用クサビと定着具の間にシャッターを挿入したうえでジャッキの緊張を解除することによって除荷用クサビを取り外すことができるものである。しかしながら特許文献１は、クサビ定着式アンカーの緊張を解除する手法を提案しているに過ぎず、アンカーを再緊張する手法については何ら示されていない。特許文献１を含めこれまでクサビ定着式アンカーを再緊張する有力な手法が示されることはなかったが、これはクサビ定着式アンカーの緊張を解除した後のケーブルの状態（位置）が、再緊張にとって大きな障壁となっていたことも理由として考えられる。以下、緊張解除後のケーブルの状態の問題について、図１を参照しながら詳しく説明する。
【００１４】
図１は、クサビ定着式アンカーを再緊張するため、既設定着具を撤去するまでの各工程を示すステップ図である。この図に示すクサビ定着式アンカーは、アンカー孔２１０内に複数のケーブル２２０が収められており、これらのケーブル２２０は既設クサビ２３０によって既設定着具２４０に定着されている。この状態から既設定着具２４０を撤去するには、まず図１（ａ）に示すようにケーブル２２０を除荷用カプラー３１０で把持する。より詳しくは、ケーブル２２０を除荷用カプラー３１０の下方から挿通し、その状態で除荷用クサビ３２０を嵌入することでケーブル２２０は除荷用カプラー３１０に把持される。なお、除荷用カプラー３１０の上方には緊張用ケーブル３３０が挿通されており、緊張用クサビ３４０が嵌入されることで除荷用カプラー３１０に固定されている。
【００１５】
除荷用カプラー３１０がケーブル２２０を把持すると、図１（ｂ）に示すようにジャッキを利用して緊張用ケーブル３３０を引き上げる（緊張する）。これによって既設クサビ２３０は下向きの力から解放されるため、既設定着具２４０から取り外すことができる。既設クサビ２３０を取り外すと、ジャッキの緊張力を解除して除荷用クサビ３２０を取り外し、ケーブル２２０を除荷用カプラー３１０の把持から解放する（図１（ｃ））。図１（ａ）〜（ｃ）の一連の工程を、クサビ定着式アンカーを構成するケーブル２２０の数だけ繰り返し、最後に既設定着具２４０と既設支圧板２５０を撤去する（図１（ｄ））。
【００１６】
図１（ｃ）や（ｄ）に示すように、除荷用カプラー３１０の把持から解放されたケーブル２２０は、アンカー孔２１０内に引き込まれることがある。ケーブル２２０がアンカー孔２１０内に引き込まれてしまうと、再緊張するためにケーブル２２０を把持することは困難となり、仮に再緊張できたとしてもケーブル２２０を通常の定着具で定着することは従来の技術では極めて困難となる。これは、クサビ定着式アンカーのテンドンがケーブルであるが故に生じる問題といえる。このように、「テンドンがケーブルであるアンカー（以下、「ケーブル式アンカー」という。）」は、緊張を解除した後のケーブル２２０がアンカー孔２１０内に引き込まれてしまうことがあり、これが再緊張にとって大きな障壁となる結果、これまでクサビ定着式アンカーをはじめとするケーブル式アンカーを再緊張する有力な手法が示されることはなかったわけである。
【００１７】
本願発明の課題は、従来技術が抱える問題を解決することであり、すなわち、既設のケーブル式アンカーーを再緊張することができる技術を提供することであり、特にケーブルがアンカー孔内に引き込まれた既設アンカーを再緊張することができる技術を提供することである。
【００１８】
なお発明者らは、ケーブルがアンカー孔内に引き込まれた既設アンカーを再緊張するため、定着具もアンカー孔内に設置すること、つまりアンカー孔内でケーブルを定着具に固定し、その状態で定着具を引き上げることに着目した。ところが通常の定着具には、ケーブルを挿通したうえでクサビを嵌入する程度の径をもつ挿通孔が、ケーブルの数だけ設けられる。そのため通常の定着具は、必然的に相当な大きさ（径）の定着具となり、定着具がアンカー孔内に入らないケースもある。そこで、通常の定着具がアンカー孔内に入らないケースであっても、ケーブルがアンカー孔内に引き込まれた既設アンカーを再緊張することができる技術を提供することも本願発明の課題の一つとしている。
【課題を解決するための手段】
【００１９】
本願発明は、アンカー孔内でケーブルを定着具（以下、本願発明では「アンカーヘッド」という。）に固定して再緊張するという点に着目するとともに、アンカーヘッドに設けられる挿通孔のうち一部にのみクサビを嵌入させることとしてアンカーヘッドのコンパクト化を図るという点に着目してなされたものであり、これまでにない発想に基づいて行われた発明である。
【００２０】
本願発明のアンカーの再緊張方法は、既設アンカーを再緊張する方法であり、緊張力解除工程と、ケーブル固定工程、定着カプラー設置工程、再緊張工程を備えた方法である。このうち、緊張力解除工程では、既設アンカーの緊張力を解除し、ケーブル固定工程では、孔内アンカーヘッドの挿通孔に既設のケーブルを挿通しながら孔内アンカーヘッドをアンカー孔内に設置するとともに、ケーブルが挿通された挿通孔内にクサビを嵌入することでケーブルを孔内アンカーヘッドに固定する。また定着カプラー設置工程では、アンカー孔内に設置された孔内アンカーヘッドの外周に螺合することによって定着カプラーを孔内アンカーヘッドに取り付け、再緊張工程では、アンカー孔外に設置したジャッキによって定着カプラーを引き上げることでケーブルを再緊張する。
【００２１】
本願発明のアンカーの再緊張方法は、ケーブル固定工程が先行ケーブル固定工程と後続ケーブル固定工程によって行われる方法とすることもできる。すなわち、複数のケーブルを先行グループと後続グループに分け、先行ケーブル固定工程で先行グループのケーブルを先行用孔内アンカーヘッドに固定し、後続ケーブル固定工程で後続グループのケーブルを後続用孔内アンカーヘッドに固定する。なおこの場合は、クサビ挿通孔と普通挿通孔（クサビ挿通孔よりも小径）の２種類の挿通孔を具備する孔内アンカーヘッドを使用する。より詳しくは、先行ケーブル固定工程において、先行グループのケーブルをクサビ挿通孔に挿通するとともに、後続グループのケーブルを普通挿通孔に挿通したうえで、先行用孔内アンカーヘッドをアンカー孔内に設置し、さらに先行グループのケーブルが挿通されたクサビ挿通孔内にクサビを嵌入することで、先行グループのケーブルを先行用孔内アンカーヘッドに固定する。また後続ケーブル固定工程において、後続グループのケーブルをクサビ挿通孔に挿通するとともに、先行グループのケーブルを普通挿通孔に挿通したうえで、後続用孔内アンカーヘッドを先行用孔内アンカーヘッドに重ねて（積層して）アンカー孔内に設置し、さらに後続グループのケーブルが挿通されたクサビ挿通孔内にクサビを嵌入することで、後続グループのケーブルを後続用孔内アンカーヘッドに固定する。そして定着カプラー設置工程では、先行用孔内アンカーヘッドに定着カプラーを取り付ける。
【００２２】
本願発明のアンカーの再緊張方法は、ケーブル固定工程が先行ケーブル固定工程と後続ケーブル固定工程によって行われ、しかも後続ケーブル固定工程では後続グループのケーブルが２以上のグループに分けられて段階的に固定される方法とすることもできる。この場合、後続ケーブル固定工程の各段階では、孔内アンカーヘッドにまだ固定されていないケーブルをクサビ挿通孔に挿通するとともに、孔内アンカーヘッドに既に固定されたケーブルを普通挿通孔に挿通したうえで、後続用孔内アンカーヘッドをアンカー孔内に設置し、さらにケーブルが挿通されたクサビ挿通孔内にクサビを嵌入することで、ケーブルを後続用孔内アンカーヘッドに固定する。
【００２３】
本願発明のアンカーの再緊張方法は、さらに再定着工程を備えた方法とすることもできる。この再定着工程では、再緊張工程後に定着カプラーのうちアンカー孔外に突出した部分の外周に定着リングを螺合してケーブルを再度定着する。
【００２４】
本願発明のアンカー頭部構造は、再緊張された複数のケーブルを有するアンカーの頭部構造であり、第１孔内アンカーヘッドと、第２孔内アンカーヘッド、定着カプラー、定着リングを備えたものである。第１孔内アンカーヘッドと第２孔内アンカーヘッドは、アンカー孔内に重ねて（積層して）設置される。また定着カプラーは、第１孔内アンカーヘッドの外周に螺合するとともに、一部がアンカー孔外に突出し、定着リングは、定着カプラーのうちアンカー孔外に突出した部分の外周に螺合している。なお、クサビ挿通孔と普通挿通孔を具備する第１孔内アンカーヘッドは、クサビ挿通孔には複数のケーブルのうちの一部（第１ケーブル）が挿通されてクサビが嵌入され、普通挿通孔には第１ケーブルを除く第２ケーブルが挿通される。一方、クサビ挿通孔と普通挿通孔を具備する第２孔内アンカーヘッドは、クサビ挿通孔には第２ケーブルの全て（又は一部）が挿通されてクサビが嵌入され、第１ケーブルは普通挿通孔に挿通される。
【００２５】
本願発明の孔内アンカーヘッドは、再緊張を行うために複数のケーブルを固定するものであり、アンカー孔の内径よりも小さい外形を有し、クサビ挿通孔と普通挿通孔を具備するものである。なお、クサビ挿通孔は、ケーブルを挿通するとともにクサビを嵌入し得る内径を有し、普通挿通は、クサビ挿通孔よりも小径であってケーブルを挿通し得る内径を有している。
【発明の効果】
【００２６】
本願発明のアンカーの再緊張方法、アンカー頭部構造、及び孔内アンカーヘッドには、次のような効果がある。
（１）既設のケーブル式アンカーを再緊張することができる。特にケーブルがアンカー孔内に引き込まれた既設アンカーに対しても再緊張することができる。
（２）アンカーヘッドやクサビ、カプラー、ジャッキといった従来と略同様の機器を利用することから、機器や手間を含むコストが増大することなく、既設のケーブル式アンカーの再緊張が可能である。
（３）再緊張によりアンカーに新たな緊張力を導入することができ、すなわちアンカーの延命化を図ることができる。この結果、新たなアンカーの増し打ち、孔壁拡張及び受圧板取替え等を回避することができることから、従来に比べコストの低減を図ることができる。
（４）再緊張後に定着カプラーと定着リングを用いて既設アンカーを再度定着しておけば、今後も容易に再緊張を行うことができる。
【図面の簡単な説明】
【００２７】
【図１】（ａ）はケーブルを除荷用カプラーで把持する工程を説明するステップ図、（ｂ）は既設クサビを取り外す工程を説明するステップ図、（ｃ）はケーブルを除荷用カプラーの把持から解放した工程を説明するステップ図、（ｄ）は既設定着具と既設支圧板を撤去する工程を説明するステップ図。
【図２】本願発明のアンカーの再緊張方法の主な工程の流れを示すフロー図。
【図３】（ａ）は先行ケーブル固定工程で使用される第１孔内アンカーヘッドを示す平面図、（ｂ）は後続ケーブル固定工程で使用される第２孔内アンカーヘッドを示す平面図。
【図４】既設アンカーが有する６本のケーブルを示す断面図。
【図５】（ａ）は第１孔内アンカーヘッドを設置する工程を説明するステップ図、（ｂ）は第１ケーブルを第１孔内アンカーヘッドに固定する工程を説明するステップ図、（ｃ）は第２孔内アンカーヘッドを設置する工程を説明するステップ図、（ｄ）は第２ケーブルを第２孔内アンカーヘッドに固定する工程を説明するステップ図。
【図６】（ａ）は定着カプラーを示す平面図、（ｂ）は定着カプラーを示す断面図。
【図７】（ａ）は定着カプラーと定着リング、支圧板を設置する工程を説明するステップ図、（ｂ）はテンションバーを定着リングに固定する工程を説明するステップ図、（ｃ）はジャッキによってテンションバーを引き上げる工程を説明するステップ図、（ｄ）は定着リングを設置しジャッキを撤去した状態を示すステップ図。
【図８】（ａ）は定着リングを示す平面図、（ｂ）は定着リングを示す断面図。
【図９】（ａ）は支圧板を示す平面図、（ｂ）は支圧板を示す断面図。
【発明を実施するための形態】
【００２８】
本願発明のアンカーの再緊張方法、アンカー頭部構造、及び孔内アンカーヘッドの実施形態の一例を、図に基づいて説明する。なお、ここでは便宜上、実施形態を既設のグラウンドアンカーの例で説明しているが、本願発明はコンクリート床板にプレストレスを導入するアンカーなどグラウンドアンカー以外のアンカーにも適用可能であり、したがってここでいう「アンカー」は、グランドアンカーを含む種々のアンカーを意味している。
【００２９】
また、アンカーは様々な点に着目して分類がされることがあるが、テンドンがケーブル（鋼線や鋼より線）である限りあらゆる既設アンカーに対して本願発明を適用することができる。例えば、テンドンの定着方式に着目して分類される「クサビ定着方式アンカー」や「クサビナット定着式アンカー」に適用することができ、あるいは地盤への定着方式に着目して分類される「摩擦型アンカー」や、「支圧型アンカー」、「複合（摩擦＋支圧）型アンカー」にも適用することができる。
【００３０】
以下、本願発明を構成する主な要素ごとに詳しく説明する。なお、本願発明の「アンカー頭部構造」と「孔内アンカーヘッド」は、本願発明の「アンカーの再緊張方法」に使用されるものである。したがって、本願発明のアンカーの再緊張方法を説明する中で、本願発明のアンカー頭部構造と孔内アンカーヘッドを合わせて説明することとする。また本願発明のアンカーの再緊張方法は、既設アンカーのケーブルを複数のグループに分け、それぞれ段階的に孔内アンカーヘッドに固定する実施例も挙げられる。そこで、２段階に分けたケース、３段階以上に分けたケース、段階を分けることなく一度に固定するケースの３つ例に分けて説明することとする。
【００３１】
１．２段階に分けて固定するケース
ここでは、テンドンが複数のケーブルで構成された既設のアンカーに対し、複数のケーブルを「先行グループ」と「後続グループ」に分けて段階的に再緊張する例について説明する。なお本ケースでは、先行グループを「第１グループ」、後続グループを「第２グループ」ということとし、第１グループに属するケーブルを「第１ケーブル」、第２グループに属するケーブルを「第２ケーブル」ということとする。また、第１ケーブルと第２ケーブルは、それぞれ別の孔内アンカーヘッドに固定されることから、第１ケーブルが固定される孔内アンカーヘッド（つまり、先行用の孔内アンカーヘッド）を「第１孔内アンカーヘッド」、第２ケーブルが固定される孔内アンカーヘッド（つまり、後続用の孔内アンカーヘッド）を「第２孔内アンカーヘッド」と分けて呼ぶこととする。
【００３２】
図２は、本願発明のアンカーの再緊張方法の主な工程の流れを示すフロー図である。以下、この図にしたがって説明する。はじめに、既設アンカーの頭部周辺で足場を組み立て、ジャッキをはじめ必要となる機器を配置し、第三者を含む安全対策を施すなど、所定の準備工を行う（Ｓｔｅｐ１００）。
【００３３】
（緊張力解除工程）
次に、既設アンカーの緊張力を解除する（緊張力解除工程）。具体的には、図１（ａ）〜（ｂ）に示すようにケーブル２２０を緊張し（Ｓｔｅｐ２０１）、既設クサビ２３０を既設定着具２４０から取り外し（Ｓｔｅｐ２０２）、そして図１（ｃ）に示すようにケーブル２２０を除荷用カプラー３１０の把持から解放する（Ｓｔｅｐ２０３）。このＳｔｅｐ２０１〜Ｓｔｅｐ２０３の一連の工程を、既設アンカーが有するケーブル２２０の数だけ繰り返し、最後に図１（ｄ）に示すように既設定着具２４０と既設支圧板２５０を撤去する（Ｓｔｅｐ２０４）。
【００３４】
（ケーブル固定工程）
既設アンカーの緊張力が解除されると、ケーブル２２０を本願発明の孔内アンカーヘッドに固定する（ケーブル固定工程）。このケーブル固定工程は、先行ケーブル固定工程と後続ケーブル固定工程の２段階に分けて行われ、先行ケーブル固定工程では第１ケーブルが第１孔内アンカーヘッドに固定され、後続ケーブル固定工程では第２ケーブルが第２孔内アンカーヘッドに固定される。先行ケーブル固定工程と後続ケーブル固定工程について説明する前に、まず本願発明の孔内アンカーヘッドについて説明する。
【００３５】
図３は、本願発明の孔内アンカーヘッドを示す平面図であり、（ａ）は先行ケーブル固定工程で使用される第１孔内アンカーヘッドを示し、（ｂ）は後続ケーブル固定工程で使用される第２孔内アンカーヘッドを示している。なお、ここで対象としている既設アンカーは、図４の断面図に示すように６本のケーブル２２０ａ〜２２０ｆで構成されており、このうちケーブル２２０ａ、ケーブル２２０ｃ、ケーブル２２０ｅを第１グループに分類された第１ケーブル２２１とし、ケーブル２２０ｂ、ケーブル２２０ｄ、ケーブル２２０ｆを第２グループに分類された第２ケーブル２２２としている。
【００３６】
本願発明の孔内アンカーヘッドは、形状（寸法を除く）や材質などは従来から用いられている定着具（アンカーヘッド）と同様であり、またケーブル２２０を挿通するための挿通孔を有する点も従来と同様である。なお、ここでは本願発明の孔内アンカーヘッドを一般的な形状である円柱形として説明しているが、もちろん他の形状としてもよい。本願発明の孔内アンカーヘッドが従来のものと異なるのは、「クサビ挿通孔」と「普通挿通孔」の２種類の挿通孔を有する点である。このクサビ挿通孔は、ケーブル２２０を挿通するとともにクサビを嵌入し得る程度の内径となっており、一方の普通挿通孔は、クサビ挿通孔よりも小径であるがケーブル２２０を挿通できる程度の内径となっている。なお、孔内アンカーヘッドの外形は、アンカー孔２１０内に入るように、アンカー孔２１０の内径より小さな寸法（直径）とされる。
【００３７】
図３（ａ）に示す第１孔内アンカーヘッド１１１は、既設アンカーのケーブル２２０の数に対応して６つの挿通孔を有しており、第１ケーブル２２１の数に対応する３つのクサビ挿通孔１１１ｗと、第２ケーブル２２２の数に対応する３つの普通挿通孔１１１ｎで構成されている。言い換えると、第１孔内アンカーヘッド１１１に設けられた３つのクサビ挿通孔１１１ｗは第１ケーブル２２１を挿通する挿通孔であり、第１孔内アンカーヘッド１１１に設けられた３つ普通挿通孔１１１ｎは第２ケーブル２２２を挿通する挿通孔である。なお、クサビ挿通孔１１１ｗにはクサビが嵌入されるのに対し、普通挿通孔１１１ｎはケーブルを挿通すれば足りることから、普通挿通孔１１１ｎの孔径はクサビ挿通孔１１１ｗの孔径より小さくすることができる。また、クサビ挿通孔１１１ｗはクサビを嵌入するためにテーパ状の孔形とされるが、普通挿通孔１１１ｎはテーパ状とすることなく円柱状の孔形とされる。
【００３８】
同様に、図３（ｂ）に示す第２孔内アンカーヘッド１１２は、やはり既設アンカーのケーブル２２０の数に対応して６つの挿通孔を有しており、第２ケーブル２２２の数に対応する３つのクサビ挿通１１２ｗと、第１ケーブル２２１の数に対応する３つの普通挿通孔１１２ｎで構成されている。言い換えると、第２孔内アンカーヘッド１１２に設けられた３つクサビ挿通１１２ｗは第２ケーブル２２２を挿通する挿通孔であり、第２孔内アンカーヘッド１１２に設けられた３つ普通挿通孔１１２ｎは第１ケーブル２２１を挿通する挿通孔である。
【００３９】
図３からも分かるように、第１孔内アンカーヘッド１１１と第２孔内アンカーヘッド１１２は、それぞれ同数の挿通孔を有し、挿通孔が設けられる位置も略同じである。そして、第１孔内アンカーヘッド１１１のクサビ挿通孔１１１ｗと、第２孔内アンカーヘッド１１２の普通挿通孔１１２ｎは、略同じ位置に同じ数だけ設けられている。また、第１孔内アンカーヘッド１１１の普通挿通孔１１１ｎと、第２孔内アンカーヘッド１１２のクサビ挿通１１２ｗも、略同じ位置に同じ数だけ設けられている。これにより、第１孔内アンカーヘッド１１１のクサビ挿通孔１１１ｗに挿通したケーブル２２０（第１ケーブル２２１）を第２孔内アンカーヘッド１１２の普通挿通孔１１２ｎに挿通することができ、第１孔内アンカーヘッド１１１の普通挿通孔１１１ｎに挿通したケーブル２２０（第２ケーブル２２２）を第２孔内アンカーヘッド１１２のクサビ挿通孔１１２ｗに挿通することができるわけである。
【００４０】
以下、図５を参照しながら先行ケーブル固定工程と後続ケーブル固定工程について説明する。図５は、緊張解除後にアンカー孔２１０内に引き込まれたケーブル２２０を孔内アンカーヘッドに固定するステップ図である。なおこの図では便宜上、図４に示す６本のケーブル２２０ａ〜２２０ｆのうち３本のみを表しており、右側にケーブル２２０ｃ（第１ケーブル２２１）、中央にケーブル２２０ｄ（第２ケーブル２２２）、左側にケーブル２２０ｅ（第１ケーブル２２１）を示している。
【００４１】
先行ケーブル固定工程では、まず図５（ａ）に示すように第１孔内アンカーヘッド１１１が設置される（Ｓｔｅｐ３０１）。このとき、第１ケーブル２２１を第１孔内アンカーヘッド１１１のクサビ挿通孔１１１ｗに挿通し、かつ第２ケーブル２２２を第１孔内アンカーヘッド１１１の普通挿通孔１１１ｎに挿通した状態で、アンカー孔２１０の孔口から孔奥に向けて押し込んでいく。
【００４２】
第１孔内アンカーヘッド１１１をアンカー孔２１０内の所定位置に配置できると、図５（ｂ）に示すように、第１ケーブル２２１用のクサビ（以下、「第１クサビ１２１」という。）を第１孔内アンカーヘッド１１１のクサビ挿通孔１１１ｗ内に嵌入する（Ｓｔｅｐ３０２）。第１孔内アンカーヘッド１１１のクサビ挿通孔１１１ｗ内には既に第１ケーブル２２１が挿通されており、その状態で第１クサビ１２１を嵌入することによって、第１ケーブル２２１を第１孔内アンカーヘッド１１１に固定するわけである。もちろん、第１孔内アンカーヘッド１１１の普通挿通孔１１１ｎにはクサビは嵌入しない。
【００４３】
後続ケーブル固定工程では、図５（ｃ）に示すように第２孔内アンカーヘッド１１２が設置される（Ｓｔｅｐ３０３）。このとき、第２ケーブル２２２を第２孔内アンカーヘッド１１２のクサビ挿通１１２ｗに挿通し、かつ第１ケーブル２２２を第２孔内アンカーヘッド１１２の普通挿通孔１１２ｎに挿通した状態で、アンカー孔２１０の孔口から孔奥に向けて第１孔内アンカーヘッド１１１と重なる（積層する）位置まで押し込んでいく。
【００４４】
第２孔内アンカーヘッド１１２を第１孔内アンカーヘッド１１１と重なる位置に配置できると、図５（ｄ）に示すように、第２ケーブル２２２用のクサビ（以下、「第２クサビ１２２」という。）を、第２孔内アンカーヘッド１１２のクサビ挿通１１２ｗ内に嵌入する（Ｓｔｅｐ３０４）。第２孔内アンカーヘッド１１２のクサビ挿通１１２ｗ内には既に第２ケーブル２２２が挿通されており、その状態で第２クサビ１２２を嵌入することによって、第２ケーブル２２２を第２孔内アンカーヘッド１１２に固定するわけである。もちろん、第２孔内アンカーヘッド１１２の普通挿通孔１１２ｎにはクサビは嵌入しない。
【００４５】
（定着カプラー設置工程）
既設アンカーの全てのケーブル２２０（第１ケーブル２２１と第２ケーブル２２２）が、それぞれ第１孔内アンカーヘッド１１１と第２孔内アンカーヘッド１１２に固定できると、定着カプラーを第１孔内アンカーヘッド１１１に取り付ける（Ｓｔｅｐ４００）。図６は定着カプラー１３０を示す図であり、（ａ）はその平面図、（ｂ）はその断面図である。定着カプラー１３０は中空の筒状を呈しており、孔内アンカーヘッドの外形に合わせた平面形状とされる。ここでは第１孔内アンカーヘッド１１１や第２孔内アンカーヘッド１１２を円柱状の例で説明していることから、図６（ａ）に示すように定着カプラー１３０は円筒状となっている。なお、後に説明するように定着カプラー１３０は、第１孔内アンカーヘッド１１１や第２孔内アンカーヘッド１１２に嵌め込むため定着カプラー１３０の内径は第１孔内アンカーヘッド１１１や第２孔内アンカーヘッド１１２の外径より若干大きく、そしてアンカー孔２１０内に挿入するためアンカー孔２１０の内径より若干小さな径で形成される。
【００４６】
また図６（ｂ）に示すように、定着カプラー１３０の外周面には外周ネジ１３１が設けられており、定着カプラー１３０の内周面のうち下方には下部内周ネジ１３２が、定着カプラー１３０の内周面のうち上方には上部内周ネジ１３３が、それぞれ設けられている。なお、後述するようにテンションバー３５０のうち貫入体３５１の内側にネジが設けられている場合は、この内側ネジと外周ネジ１３１を螺合させることとし、上部内周ネジ１３３を省略することもできる。
【００４７】
図７（ａ）に示すように、定着カプラー１３０は第１孔内アンカーヘッド１１１と第２孔内アンカーヘッド１１２を嵌め込むように、アンカー孔２１０内に挿入して設置する。言い換えれば、中空の内部に第１孔内アンカーヘッド１１１と第２孔内アンカーヘッド１１２を収容するように、定着カプラー１３０を設置する。したがって、定着カプラー１３０の先端（孔奥側）が、第１孔内アンカーヘッド１１１の底面付近に達するまで定着カプラー１３０は挿入される。このとき、定着カプラー１３０をアンカー孔２１０内に挿入していくにあたっては、第１孔内アンカーヘッド１１１の外周に設けられたネジ（図５）と、定着カプラー１３０の下部内周ネジ１３２が螺合される。これにより、定着カプラー１３０は第１孔内アンカーヘッド１１１に堅固に取り付けられる。なお、孔内アンカーヘッドの外形は、アンカー孔２１０内に入るようにアンカー孔２１０の内径より小さな寸法（直径）とされると説明したが、アンカー孔２１０の内径よりも定着カプラー１３０の壁厚分だけさらに小さくするとよい。
【００４８】
図７（ａ）に示すように、第１孔内アンカーヘッド１１１に取り付けられた定着カプラー１３０はその一部がアンカー孔２１０外に突出しており、この部分には外周ネジ１３１と上部内周ネジ１３３（既述のとおり、場合によっては省略可）が設けられている。次のステップであるテンションバーの設置前に、このアンカー孔２１０外に突出した部分を利用して、定着リング１４０と支圧板１５０を設置しておく。
【００４９】
図８は定着リング１４０を示す図であり、（ａ）はその平面図、（ｂ）はその断面図である。定着リング１４０は中空の筒状を呈しており、定着カプラー１３０の外形に合わせた平面形状とされる。ここでは定着カプラー１３０を円筒状の例で説明していることから、図８（ａ）に示すように定着リング１４０も円筒状となっている。また図８（ｂ）に示すように、定着リング１４０の内周面には内周ネジ１４１が設けられている。この内周ネジ１４１と定着カプラー１３０の外周ネジ１３１が螺合することによって、定着リング１４０は定着カプラー１３０に取り付けられる。したがって、定着リング１４０の内径は、定着カプラー１３０の外径より若干大きな径で形成される。
【００５０】
図９は支圧板１５０を示す図であり、（ａ）はその平面図、（ｂ）はその断面図である。この図に示すように支圧板１５０は、板状のものであって中央部に貫通孔が設けられている。この貫通孔内に定着カプラー１３０を挿入しながら、地表面に接地するように支圧板１５０は設置される。したがって貫通孔の内径は、定着カプラー１３０の外径よりやや大きな径で形成される。なお支圧板１５０は、定着リング１４０よりも先に定着カプラー１３０に挿入される。
【００５１】
（再緊張工程）
定着カプラー１３０と、定着リング１４０、支圧板１５０が設置できると、既設アンカーの再緊張を行う（Ｓｔｅｐ５００）。既設アンカーの再緊張を行うにあたっては、まず図７（ｂ）に示すように、テンションバー３５０を定着カプラー１３０に固定する。このテンションバー３５０のうち貫入体３５１の外周にはネジが設けられており、このネジと定着カプラー１３０の上部内周ネジ１３３が螺合することによって、テンションバー３５０が着カプラー１３０に固定される。あるいは、貫入体３５１を中空にするとともにその内周にネジを設け、この内周ネジと定着カプラー１３０の外周ネジ１３１を螺合することによって、テンションバー３５０を定着カプラー１３０に固定することもできる。
【００５２】
そして図７（ｃ）に示すように、アンカー孔２１０外に設置したジャッキ（例えば油圧ジャッキ）によって、テンションバー３５０の柱状部３５２を引き上げていく。テンションバー３５０が引き上げられると、これに伴って定着カプラー１３０と、これに取り付けられた第１孔内アンカーヘッド１１１が引き上げられ、さらに第１孔内アンカーヘッド１１１に持ち上げられるように第２孔内アンカーヘッド１１２も引き上げられる。この結果、第１孔内アンカーヘッド１１１に固定された第１ケーブル２２１に緊張力が導入され、第２孔内アンカーヘッド１１２に固定された第２ケーブル２２２に緊張力が導入される。
【００５３】
（再定着工程）
既設アンカーを再緊張すると、ケーブル２２０に導入した緊張力を維持すべく定着リング１４０を設置する（Ｓｔｅｐ６００）。具体的には、図７（ｃ）に示すように、ジャッキによって引き上げられた定着カプラー１３０に螺合された定着リング１４０を、支圧板１５０に重なるまで締めこんでいく。定着リング１４０の締め込みが十分となった段階で、ジャッキの緊張を解放し、ケーブル２２０に導入された緊張力を定着リング１４０と支圧板１５０に預ける。なお、アンカーの残存引張り力を確認する場合、あるいは再緊張した結果存続使用が難しいことが判明した場合など、単に再緊張するだけで完了する場合は、もちろん定着リングの設置工程（再定着工程）を行う必要はない。
【００５４】
（アンカー頭部構造）
図７（ｄ）は、定着リングを設置しジャッキを撤去した状態を示す図であり、すなわち再緊張後のアンカー頭部構造を示している。この図に示すように、本願発明のアンカー頭部構造は、第１孔内アンカーヘッド１１１と、第２孔内アンカーヘッド１１２、定着カプラー１３０、定着リング１４０によって構成される。
【００５５】
第１孔内アンカーヘッド１１１は、そのクサビ挿通孔１１１ｗに第１ケーブル２２１が挿通されて第１クサビ１２１が嵌入され、通挿通孔１１１ｎに第２ケーブル２２２が挿通されており、アンカー孔２１０内の所定位置に配置される。また、第２孔内アンカーヘッド１１２は、そのクサビ挿通孔１１２ｗに第２ケーブル２２２が挿通されて第２クサビ１２２が嵌入され、通挿通孔１１２ｎに第１ケーブル２２１が挿通されており、アンカー孔２１０内で第１孔内アンカーヘッド１１１に重ねられて（積層して）配置される。
【００５６】
定着カプラー１３０は、その先端（孔奥側）が第１孔内アンカーヘッド１１１の外周に螺合することで、第１孔内アンカーヘッド１１１に取り付けられており、その一部はアンカー孔２１０外に突出している。そして、この突出した部分の外周に螺合することで、定着リング１４０は定着カプラー１３０に取り付けられる。ジャッキで定着カプラー１３０を引き上げた状態で定着リング１４０は締め込まれていることから、ケーブル２２０には新たに緊張力が導入されており、ジャッキの緊張が解放された結果、定着リング１４０にはケーブル２２０に導入された緊張力が預けられている。
【００５７】
２．３段階以上に分けたケース
次に、テンドンが複数のケーブル２２０で構成された既設のアンカーに対し、複数のケーブル２２０を「先行グループ」と「後続グループ」に分け、さらに後続グループを２以上に分けて段階的に再緊張する例について説明する。なお、本ケースの内容は、「孔内アンカーヘッド」と「ケーブル固定工程」以外はここまで説明した「２段階に分けて固定するケース」と同様である。したがって「２段階に分けて固定するケース」と重複する説明は避け、本ケースに特有の内容のみ説明することとする。すなわち、ここに記載されていない内容は、「２段階に分けて固定するケース」で説明したものと同様である。
【００５８】
以下、既設アンカーのケーブルを３つのグループに分け、３段階に分けて孔内アンカーヘッドに固定する例について説明する。この場合、先行グループは「第１グループ」とし、後続グループは「第２グループ」と「第３グループ」とする。なお、第１グループに属するケーブルは「第１ケーブル２２１」、第２グループに属するケーブルは「第２ケーブル２２２」、第３グループに属するケーブルは「第３ケーブル２２３」とし、第１ケーブルを固定するものを「第１孔内アンカーヘッド１１１」、第２ケーブルを固定するものを「第２孔内アンカーヘッド１１２」、第３ケーブルを固定するものを「第３孔内アンカーヘッド１１３」とする。
【００５９】
（孔内アンカーヘッド）
第１孔内アンカーヘッド１１１は、既設アンカーのケーブル２２０の本数に対応する数の挿通孔を有しており、第１ケーブル２２１の本数に対応する数のクサビ挿通孔１１１ｗと、第２ケーブル２２２と第３ケーブル２２３を足し合わせた本数に対応する数の普通挿通孔１１１ｎで構成されている。同様に、第２孔内アンカーヘッド１１２は、既設アンカーのケーブル２２０の本数に対応する数の挿通孔を有しており、第２ケーブル２２１の本数に対応する数のクサビ挿通孔１１２ｗと、第１ケーブル２２１と第３ケーブル２２３を足し合わせた本数に対応する数の普通挿通孔１１２ｎで構成され、第３孔内アンカーヘッド１１３は、既設アンカーのケーブル２２０の本数に対応する数の挿通孔を有しており、第３ケーブル２２３の本数に対応する数のクサビ挿通孔１１３ｗと、第１ケーブル２２１と第２ケーブル２２２を足し合わせた本数に対応する数の普通挿通孔１１３ｎで構成されている。なお、第１孔内アンカーヘッド１１１と、第２孔内アンカーヘッド１１２、第３孔内アンカーヘッド１１３の外形は、アンカー孔２１０内に入るようにアンカー孔２１０の内径より小さな寸法（直径）であり、しかもアンカー孔２１０の内径よりも定着カプラー１３０の壁厚分だけさらに小さな寸法とされる。また、第１孔内アンカーヘッド１１１の外周には、定着カプラー１３０の下部内周ネジ１３２と螺合するネジが設けられている。
【００６０】
第１孔内アンカーヘッド１１１と第２孔内アンカーヘッド１１２、第３孔内アンカーヘッド１１３は、それぞれ同数の挿通孔を有しており、挿通孔が設けられる位置もそれぞれ略同じである。そして、第１孔内アンカーヘッド１１１のクサビ挿通孔１１１ｗは、第２孔内アンカーヘッド１１２の普通挿通孔１１２ｎや第３孔内アンカーヘッド１１３の普通挿通孔１１３ｎと略同じ位置に設けられている。同様に、第２孔内アンカーヘッド１１２のクサビ挿通孔１１２ｗは、第１孔内アンカーヘッド１１１の普通挿通孔１１１ｎや第３孔内アンカーヘッド１１３の普通挿通孔１１３ｎと略同じ位置に設けられており、第３孔内アンカーヘッド１１３のクサビ挿通孔１１３ｗは、第１孔内アンカーヘッド１１１の普通挿通孔１１１ｎや第２孔内アンカーヘッド１１２の普通挿通孔１１２ｎと略同じ位置に設けられている。
【００６１】
これにより第１ケーブル２２１は、第１孔内アンカーヘッド１１１のクサビ挿通孔１１１ｗと、第２孔内アンカーヘッド１１２の普通挿通孔１１２ｎ、第３孔内アンカーヘッド１１３の普通挿通孔１１３ｎに挿通することができる。同様に第２ケーブル２２２は、第１孔内アンカーヘッド１１１の普通挿通孔１１１ｎと、第２孔内アンカーヘッド１１２のクサビ挿通孔１１２ｗ、第３孔内アンカーヘッド１１３の普通挿通孔１１３ｎに挿通することができ、第３ケーブル２２３は、第１孔内アンカーヘッド１１１の普通挿通孔１１１ｎと、第２孔内アンカーヘッド１１２の普通挿通孔１１２ｎ、第３孔内アンカーヘッド１１３のクサビ挿通孔１１３ｗに挿通することができる。
【００６２】
（ケーブル固定工程）
先行ケーブル固定工程では、第１孔内アンカーヘッド１１１を設置する。このとき、第１ケーブル２２１を第１孔内アンカーヘッド１１１のクサビ挿通孔１１１ｗに挿通し、かつ第２ケーブル２２２と第３ケーブル２２３を第１孔内アンカーヘッド１１１の普通挿通孔１１１ｎに挿通した状態で、アンカー孔２１０の孔口から孔奥に向けて押し込んでいく。第１孔内アンカーヘッド１１１をアンカー孔２１０内の所定位置に配置できると、第１クサビ１２１を第１孔内アンカーヘッド１１１のクサビ挿通孔１１１ｗ内に嵌入する。第１孔内アンカーヘッド１１１のクサビ挿通孔１１１ｗ内には既に第１ケーブル２２１が挿通されており、その状態で第１クサビ１２１を嵌入することによって、第１ケーブル２２１を第１孔内アンカーヘッド１１１に固定するわけである。もちろん、第１孔内アンカーヘッド１１１の普通挿通孔１１１ｎにはクサビは嵌入しない。
【００６３】
後続ケーブル固定工程では、第２ケーブル２２２と第３ケーブル２２３をそれぞれ２段階に分けて固定する。まず、第２孔内アンカーヘッド１１２を、第１孔内アンカーヘッド１１１と重なる（積層する）位置まで押し込んで設置する。このとき、第２ケーブル２２２を第２孔内アンカーヘッド１１２のクサビ挿通孔１１２ｗに挿通し、かつ第１ケーブル２２１と第３ケーブル２２３を第２孔内アンカーヘッド１１２の普通挿通孔１１２ｎに挿通した状態で、アンカー孔２１０の孔口から孔奥に向けて押し込んでいく。第２孔内アンカーヘッド１１２を第１孔内アンカーヘッド１１１と重なる位置に配置できると、第２クサビ１２２を第２孔内アンカーヘッド１１２のクサビ挿通孔１１２ｗ内に嵌入する。第２孔内アンカーヘッド１１２のクサビ挿通孔１１２ｗ内には既に第２ケーブル２２２が挿通されており、その状態で第２クサビ１２２を嵌入することによって、第２ケーブル２２２を第２孔内アンカーヘッド１１２に固定するわけである。もちろん、第２孔内アンカーヘッド１１２の普通挿通孔１１２ｎにはクサビは嵌入しない。
【００６４】
次に、第３孔内アンカーヘッド１１３を、第２孔内アンカーヘッド１１２と重なる（積層する）位置まで押し込んで設置する。このとき、第３ケーブル２２３を第３孔内アンカーヘッド１１３のクサビ挿通孔１１３ｗに挿通し、かつ第１ケーブル２２１と第２ケーブル２２２を第３孔内アンカーヘッド１１３の普通挿通孔１１３ｎに挿通した状態で、アンカー孔２１０の孔口から孔奥に向けて押し込んでいく。第３孔内アンカーヘッド１１３を第２孔内アンカーヘッド１１２と重なる位置に配置できると、第３ケーブル２２３用のクサビ（以下、「第３クサビ１２３」という。）を第３孔内アンカーヘッド１１３のクサビ挿通孔１１３ｗ内に嵌入する。第３孔内アンカーヘッド１１３のクサビ挿通孔１１３ｗ内には既に第３ケーブル２２３が挿通されており、その状態で第３クサビ１２３を嵌入することによって、第３ケーブル２２３を第３孔内アンカーヘッド１１３に固定するわけである。もちろん、第３孔内アンカーヘッド１１３の普通挿通孔１１３ｎにはクサビは嵌入しない。
【００６５】
以上説明したように、既設ケーブル２２０をＮ（３以上の整数）グループに分けて再緊張するケースでは、Ｎ個の孔内アンカーヘッドを用意し、先行ケーブル固定工程で第１ケーブル２２１を第１孔内アンカーヘッド１１１に固定するとともに、後続ケーブル固定工程を（Ｎ−１）段階に分けて順にケーブル２２０を孔内アンカーヘッドに固定していく。このとき、後続ケーブル固定工程のそれぞれの段階において、その段階に使用する孔内アンカーヘッドのクサビ挿通孔にはそれまでにまだ孔内アンカーヘッドに固定されていないケーブルを挿通し、既に孔内アンカーヘッドに固定されたケーブルは普通挿通孔に挿通する（その後の段階で孔内アンカーヘッドに固定するケーブルも普通挿通孔に挿通する）。そして、ケーブルが挿通されたクサビ挿通孔に対してクサビを嵌入することで、そのケーブルを孔内アンカーヘッドに固定する。
【００６６】
３．段階を分けることなく一度に固定するケース
続いて、段階を分けることなく一度に固定するケースについて説明する。既設のアンカー孔２１０の内径が、設置されたケーブル２２０の本数に対して比較的大きい場合は、１つの孔内アンカーヘッドに全ケーブル用のクサビ挿通孔を設けることができる（クサビ挿通孔に加えて普通挿通孔を設けることもできる）。したがってこの場合は、段階を分けることなくケーブルを一度に固定することができる。なお、本ケースの内容は、「孔内アンカーヘッド」と「ケーブル固定工程」以外はここまで説明した「２段階に分けて固定するケース」と同様である。したがって「２段階に分けて固定するケース」と重複する説明は避け、本ケースに特有の内容のみ説明することとする。すなわち、ここに記載されていない内容は、「２段階に分けて固定するケース」で説明したものと同様である。
【００６７】
（孔内アンカーヘッド）
本ケースのアンカーヘッドは、既設アンカーのケーブル２２０の本数に対応する数のクサビ挿通孔を有しており、さらにクサビ挿通孔に加えて普通挿通孔を設けることもできる。アンカーヘッドの外形は、アンカー孔２１０内に入るようにアンカー孔２１０の内径より小さな寸法（直径）であり、しかもアンカー孔２１０の内径よりも定着カプラー１３０の壁厚分だけさらに小さな寸法とされる。また、本ケースの孔内アンカーヘッドの外周には、定着カプラー１３０の下部内周ネジ１３２と螺合するネジが設けられている。
【００６８】
（ケーブル固定工程）
ケーブル固定工程では、本ケースの孔内アンカーヘッドを設置する。このとき、全てのケーブル２２０をクサビ挿通孔に挿通した状態で、アンカー孔２１０の孔口から孔奥に向けて押し込んでいく。本ケースの孔内アンカーヘッドをアンカー孔２１０内の所定位置に配置できると、クサビをクサビ挿通孔内に嵌入する。クサビ挿通孔内には既にケーブル２２０が挿通されており、その状態でクサビを嵌入することによって、ケーブル２２０を本ケースの孔内アンカーヘッドに固定するわけである。
【産業上の利用可能性】
【００６９】
本願発明の  アンカーの再緊張方法、アンカー頭部構造、及び孔内アンカーヘッドは、のり面・斜面対策工や、地すべり対策工に利用できるほか、コンクリート床板へのプレストレス導入や、ダムの安定化対策、橋脚や橋台の安定化対策などにも利用することができる。本願発明が、社会資本の一つであるアンカーの延命化を図り得ることを考えれば、産業上利用できるばかりでなく社会的にも大きな貢献を期待し得る発明といえる。
【符号の説明】
【００７０】
１１１    第１孔内アンカーヘッド
１１１ｎ  （第１孔内アンカーヘッドの）普通挿通孔
１１１ｗ  （第１孔内アンカーヘッドの）クサビ挿通孔
１１２    第２孔内アンカーヘッド
１１２ｎ  （第２孔内アンカーヘッドの）普通挿通孔
１１２ｗ  （第２孔内アンカーヘッドの）クサビ挿通孔
１１３ｎ  普通挿通孔
１２１    第１クサビ
１２２    第２クサビ
１３０    定着カプラー
１３１    （定着カプラーの）外周ネジ
１３２    （定着カプラーの）下部内周ネジ
１３３    （定着カプラーの）上部内周ネジ
１４０    定着リング
１４１    （定着リングの）内周ネジ
１５０    支圧板
２１０    アンカー孔
２２０    ケーブル
２２１    第１ケーブル
２２２    第２ケーブル
２３０    既設クサビ
２４０    既設定着具
２５０    既設支圧板
３１０    除荷用カプラー
３２０    除荷用クサビ
３３０    緊張用ケーブル
３４０    緊張用クサビ
３５０    テンションバー
３５１    （テンションバーの）貫入体
３５２    （テンションバーの）柱状部
【図１】
2018119356.tif 000003
【図２】
2018119356.tif 000004
【図３】
2018119356.tif 000005
【図４】
2018119356.tif 000006
【図５】
2018119356.tif 000007
【図６】
2018119356.tif 000008
【図７】
2018119356.tif 000009
【図８】
2018119356.tif 000010
【図９】
2018119356.tif 000011
【手続補正書】
【提出日】平成29年8月11日(2017.8.11)
【手続補正１】
【補正対象書類名】特許請求の範囲
【補正対象項目名】全文
【補正方法】変更
【補正の内容】
【特許請求の範囲】
【請求項１】
既設アンカーを、孔内アンカーヘッドを用いて再緊張する方法において、
既設アンカーの緊張力を解除する緊張力解除工程と、
前記孔内アンカーヘッドが具備する挿通孔に既設のケーブルを挿通したうえで前記孔内アンカーヘッドをアンカー孔内に設置するとともに、前記ケーブルが挿通された前記挿通孔内にクサビを嵌入することで前記ケーブルを前記孔内アンカーヘッドに固定するケーブル固定工程と、
前記孔内アンカーヘッドの外径より大きな内径を有する定着カプラーをその先端が該孔内アンカーヘッドに達するまでアンカー孔内に挿入するとともに、アンカー孔内に設置された該孔内アンカーヘッドの外周に螺合することによって、定着カプラーを前記孔内アンカーヘッドに取り付ける定着カプラー設置工程と、
アンカー孔外に設置したジャッキによって前記定着カプラーを引き上げることで、前記ケーブルを緊張する再緊張工程と、
を備えたことを特徴とするアンカーの再緊張方法。
【請求項２】
前記孔内アンカーヘッドは、クサビ挿通孔と、該クサビ挿通孔よりも小径の普通挿通孔の、２種類の前記挿通孔を具備し、
前記ケーブル固定工程は、複数の前記ケーブルを先行グループと後続グループに分けてそれぞれ異なる前記孔内アンカーヘッドに固定するものであって、該先行グループの前記ケーブルを先行用孔内アンカーヘッドに固定する先行ケーブル固定工程と、該後続グループの前記ケーブルを後続用孔内アンカーヘッドに固定する後続ケーブル固定工程と、を有し、
前記先行ケーブル固定工程では、前記先行グループの前記ケーブルを前記先行用孔内アンカーヘッドの前記クサビ挿通孔に挿通するとともに、前記後続グループの前記ケーブルを前記先行用孔内アンカーヘッドの前記普通挿通孔に挿通したうえで、前記先行用孔内アンカーヘッドをアンカー孔内に設置し、かつ前記先行グループの前記ケーブルが挿通された前記クサビ挿通孔内にクサビを嵌入することで、前記先行グループの前記ケーブルを前記先行用孔内アンカーヘッドに固定し、
前記後続ケーブル固定工程では、前記後続グループの前記ケーブルを前記後続用孔内アンカーヘッドの前記クサビ挿通孔に挿通するとともに、前記先行グループの前記ケーブルを前記後続用孔内アンカーヘッドの前記普通挿通孔に挿通したうえで、前記後続用孔内アンカーヘッドをアンカー孔内の前記先行用孔内アンカーヘッドに積層される位置に設置し、かつ前記後続グループの前記ケーブルが挿通された前記クサビ挿通孔内にクサビを嵌入することで、前記後続グループの前記ケーブルを前記後続用孔内アンカーヘッドに固定し、
前記定着カプラー設置工程では、前記先行用孔内アンカーヘッドに前記定着カプラーを取り付ける、
ことを特徴とする請求項１記載のアンカーの再緊張方法。
【請求項３】
前記後続ケーブル固定工程では、前記後続グループの前記ケーブルがさらに２以上のグループに分けられるとともに、それぞれ異なる前記孔内アンカーヘッドに段階的に固定され、
前記後続ケーブル固定工程の各段階では、前記孔内アンカーヘッドにまだ固定されていない前記ケーブルを前記クサビ挿通孔に挿通するとともに、前記孔内アンカーヘッドに既に固定された前記ケーブルを前記普通挿通孔に挿通したうえで、前記後続用孔内アンカーヘッドをアンカー孔内に設置し、かつ前記ケーブルが挿通された前記クサビ挿通孔内にクサビを嵌入することで、前記ケーブルを前記後続用孔内アンカーヘッドに固定する、
ことを特徴とする請求項２記載のアンカーの再緊張方法。
【請求項４】
前記再緊張工程後に、前記定着カプラーのうちアンカー孔外に突出した部分の外周に定着リングを螺合して、前記ケーブルを再度定着する再定着工程を、
さらに備えたことを特徴とする請求項１乃至請求項３のいずれかに記載のアンカーの再緊張方法。
【請求項５】
再緊張された複数のケーブルを有するアンカーの頭部構造において、
アンカー孔内に設置された第１孔内アンカーヘッドと、
アンカー孔内で前記第１孔内アンカーヘッドと積層される位置に設置された第２孔内アンカーヘッドと、
前記孔内アンカーヘッドの外径より大きな内径を有し、一部がアンカー孔外に突出した定着カプラーと、
前記定着カプラーのうちアンカー孔外に突出した部分の外周に螺合した定着リングと、を備え、
前記第１孔内アンカーヘッドは、クサビ挿通孔と、該クサビ挿通孔よりも小径の普通挿通孔と、を具備するとともに、該クサビ挿通孔には複数の前記ケーブルのうちの一部である第１ケーブルが挿通されてクサビが嵌入され、該普通挿通孔には複数の前記ケーブルのうち第１ケーブルを除く第２ケーブルが挿通され、
前記第２孔内アンカーヘッドは、前記クサビ挿通孔と前記普通挿通孔を具備するとともに、前記クサビ挿通孔には前記第２ケーブルの全て又は一部が挿通されてクサビが嵌入され、前記第１ケーブルは前記普通挿通孔に挿通され、
前記定着カプラーはその先端が前記孔内アンカーヘッドに達するまでアンカー孔内に挿入され、該定着カプラーの内周面のうち下方に設けられた内周ネジと、該定着カプラー内に収容された前記第１孔内アンカーヘッドの外周のネジが螺合された、
ことを特徴とするアンカー頭部構造。
【手続補正書】
【提出日】平成29年11月2日(2017.11.2)
【手続補正１】
【補正対象書類名】特許請求の範囲
【補正対象項目名】全文
【補正方法】変更
【補正の内容】
【特許請求の範囲】
【請求項１】
既設アンカーを、孔内アンカーヘッドを用いて再緊張する方法において、
既設アンカーの緊張力を解除する緊張力解除工程と、
前記孔内アンカーヘッドが具備する挿通孔に既設のケーブルを挿通したうえで前記孔内アンカーヘッドをアンカー孔内に設置するとともに、前記ケーブルが挿通された前記挿通孔内にクサビを嵌入することで前記ケーブルを前記孔内アンカーヘッドに固定するケーブル固定工程と、
前記ケーブル固定工程後に、前記孔内アンカーヘッドの外径より大きな内径を有する定着カプラーをその先端が該孔内アンカーヘッドに達するまでアンカー孔内に挿入するとともに、アンカー孔内に設置された該孔内アンカーヘッドの外周に螺合することによって、定着カプラーを前記孔内アンカーヘッドに取り付ける定着カプラー設置工程と、
アンカー孔外に設置したジャッキによって前記定着カプラーを引き上げることで、前記ケーブルを緊張する再緊張工程と、を備え
前記ケーブル固定工程では、アンカー孔内に新たに前記孔内アンカーヘッドのみが設置された状態で、前記挿通孔内にクサビを嵌入する、
ことを特徴とするアンカーの再緊張方法。
【請求項２】
前記孔内アンカーヘッドは、クサビ挿通孔と、該クサビ挿通孔よりも小径の普通挿通孔の、２種類の前記挿通孔を具備し、
前記ケーブル固定工程は、複数の前記ケーブルを先行グループと後続グループに分けてそれぞれ異なる前記孔内アンカーヘッドに固定するものであって、該先行グループの前記ケーブルを先行用孔内アンカーヘッドに固定する先行ケーブル固定工程と、該後続グループの前記ケーブルを後続用孔内アンカーヘッドに固定する後続ケーブル固定工程と、を有し、
前記先行ケーブル固定工程では、前記先行グループの前記ケーブルを前記先行用孔内アンカーヘッドの前記クサビ挿通孔に挿通するとともに、前記後続グループの前記ケーブルを前記先行用孔内アンカーヘッドの前記普通挿通孔に挿通したうえで、前記先行用孔内アンカーヘッドをアンカー孔内に設置し、かつアンカー孔内に該先行用孔内アンカーヘッドのみが新たに設置された状態で、前記先行グループの前記ケーブルが挿通された前記クサビ挿通孔内にクサビを嵌入することで、前記先行グループの前記ケーブルを前記先行用孔内アンカーヘッドに固定し、
前記後続ケーブル固定工程では、前記後続グループの前記ケーブルを前記後続用孔内アンカーヘッドの前記クサビ挿通孔に挿通するとともに、前記先行グループの前記ケーブルを前記後続用孔内アンカーヘッドの前記普通挿通孔に挿通したうえで、前記後続用孔内アンカーヘッドをアンカー孔内の前記先行用孔内アンカーヘッドに積層される位置に設置し、かつアンカー孔内にクサビを含む該先行用孔内アンカーヘッド及び該後続用孔内アンカーヘッドのみが新たに設置された状態で、前記後続グループの前記ケーブルが挿通された前記クサビ挿通孔内にクサビを嵌入することで、前記後続グループの前記ケーブルを前記後続用孔内アンカーヘッドに固定し、
前記定着カプラー設置工程では、前記先行用孔内アンカーヘッドに前記定着カプラーを取り付ける、
ことを特徴とする請求項１記載のアンカーの再緊張方法。
【請求項３】
前記後続ケーブル固定工程では、前記後続グループの前記ケーブルがさらに２以上のグループに分けられるとともに、それぞれ異なる前記孔内アンカーヘッドに段階的に固定され、
前記後続ケーブル固定工程の各段階では、前記孔内アンカーヘッドにまだ固定されていない前記ケーブルを前記クサビ挿通孔に挿通するとともに、前記孔内アンカーヘッドに既に固定された前記ケーブルを前記普通挿通孔に挿通したうえで、前記後続用孔内アンカーヘッドをアンカー孔内に設置し、かつ前記ケーブルが挿通された前記クサビ挿通孔内にクサビを嵌入することで、前記ケーブルを前記後続用孔内アンカーヘッドに固定する、
ことを特徴とする請求項２記載のアンカーの再緊張方法。
【請求項４】
前記再緊張工程後に、前記定着カプラーのうちアンカー孔外に突出した部分の外周に定着リングを螺合して、前記ケーブルを再度定着する再定着工程を、
さらに備えたことを特徴とする請求項１乃至請求項３のいずれかに記載のアンカーの再緊張方法。
【請求項５】
再緊張された複数のケーブルを有するアンカーの頭部構造において、
アンカー孔内に設置された第１孔内アンカーヘッドと、
アンカー孔内で前記第１孔内アンカーヘッドと積層される位置に設置された第２孔内アンカーヘッドと、
前記孔内アンカーヘッドの外径より大きな内径を有し、一部がアンカー孔外に突出した定着カプラーと、
前記定着カプラーのうちアンカー孔外に突出した部分の外周に螺合した定着リングと、を備え、
前記第１孔内アンカーヘッドは、クサビ挿通孔と、該クサビ挿通孔よりも小径の普通挿通孔と、を具備するとともに、該クサビ挿通孔には複数の前記ケーブルのうちの一部である第１ケーブルが挿通されてクサビが嵌入され、該普通挿通孔には複数の前記ケーブルのうち第１ケーブルを除く第２ケーブルが挿通され、
前記第２孔内アンカーヘッドは、前記クサビ挿通孔と前記普通挿通孔を具備するとともに、前記クサビ挿通孔には前記第２ケーブルの全て又は一部が挿通されてクサビが嵌入され、前記第１ケーブルは前記普通挿通孔に挿通され、
前記定着カプラーはその先端が前記孔内アンカーヘッドに達するまでアンカー孔内に挿入され、該定着カプラーの内周面のうち下方に設けられた内周ネジと、該定着カプラー内に収容された前記第１孔内アンカーヘッドの外周のネジが螺合され、
アンカー孔内で前記第１孔内アンカーヘッドと前記第２孔内アンカーヘッドが重ねて配置された、
ことを特徴とするアンカー頭部構造。